(57)【要約】【課題】  片手のみで光部品収納ケースを取り外すことができ、パネルケースに収納したり取り外したりする際において、光部品収納ケースに接続された光ファイバコードの伝送される光信号の損失が発生し難く構成した光配線ユニット。【解決手段】  光部品収納ケース１０は、挿入方向先端面１２の近傍であって収納ケース本体１０ａの底壁部１５から下方に突出して設けられた係止突出部２０と、挿入方向基端面１２の近傍であって収納ケース本体１０ａの上壁部１６から上方に突出して設けられるラッチ部３０と、ラッチ部３０の係合を解除可能に該ラッチ部３０と一体に設けられ挿入方向基端面１１から挿入方向Ｄ１とは反対方向Ｄ２に突出して設けられる取手部４０とを有する。【選択図】  図１
2007094277.tif 000002
【特許請求の範囲】
【請求項１】
挿入方向基端面（１１）に光コネクタが接続される第１の接続部（１３）を有する光部品収納ケース（１０）と、前記光部品収納ケースを挿入する挿入開口部（５１）を有し前記光部品収納ケースを収納するパネルケース（５０）とを備えた光配線ユニット（１）であって、
前記光部品収納ケースは、光コネクタが接続される収納ケース本体（１０ａ）と、挿入方向先端面（１２）の近傍であって前記収納ケース本体の底壁部（１５）から下方に突出して設けられた係止突出部（２０）と、前記挿入方向基端面の近傍であって前記収納ケース本体の上壁部（１６）から上方に突出して設けられるラッチ部（３０）と、前記ラッチ部の係合を解除可能に前記ラッチ部と一体に設けられ前記挿入方向基端面から前記光部品収納ケースの挿入方向とは反対の方向に突出して設けられる取手部（４０）とを有し、
前記パネルケースは、下側の内壁部（５７）に前記係止突出部を嵌め込み可能に設けられた第１の凹部（５２）と、前記係止突出部が前記第１の凹部に嵌め込まれた場合に前記ラッチ部が嵌め込み可能となるように上側の内壁部（５８）に設けられた第２の凹部（５３）とを有することを特徴とする光配線ユニット（１）。
【請求項２】
前記挿入方向先端面の近傍の前記上壁部と、該上壁部と対向する位置の前記パネルケースの前記上側の内壁部とが、前記係止突出部の突出量に合わされた間隔で離間して構成されていることを特徴とする請求項１に記載の光配線ユニット。
【請求項３】
前記係止突出部の挿入方向先端側の隅部（２１）が曲面状に面取りされており、
前記係止突出部の挿入方向基端側の隅部（２２）が、該挿入方向基端側に向かった突起状に形成されていることを特徴とする請求項１または請求項２に記載の光配線ユニット。
【請求項４】
前記取手部の端部が、逆鉤状に形成されていることを特徴とする請求項１から請求項３のうち何れか一項に記載の光配線ユニット。
【請求項５】
前記光部品収納ケースの挿入方向先端面に、光コネクタが接続される第２の接続部（１４）が設けられていることを特徴とする請求項１から請求項４のうち何れか一項に記載の光配線ユニット。
【請求項６】
前記接続部が、単心の光コネクタを複数接続可能に構成されていることを特徴とする請求項１から請求項５のうち何れか一項に記載の光配線ユニット。
【請求項７】
前記接続部が、多心の光コネクタを接続可能に構成されていることを特徴とする請求項１から請求項６のうち何れか一項に記載の光配線ユニット。
【発明の詳細な説明】
【技術分野】
【０００１】
本発明は、光配線盤や光配線箱等を構成するフレーム内に配置される光配線ユニットに関し、特に光分岐ユニット等の光部品収納ケースをパネルケース内に収納して構成されるものに関する。
【背景技術】
【０００２】
従来から、光配線ユニットにおいては、パネルケース（外装体）内に、光分岐ユニット等からなる光部品収納ケースを挿入して収納するものが提供されている。この光配線ユニットは、光配線盤や光配線箱等を構成するフレーム内に配置されるものである。なお、この種の光配線ユニットは、一般的に、その光分岐ユニット等からなる光部品収納ケースを、棚状に複数収納して構成されたものが提供されている。この種の光配線ユニットにあっては、パネルケース内に、光部品収納ケースの挿入を案内する案内部と、収納完了位置で光部品収納ケースに当接するように設けられた当接壁部とが設けられている。これによって、光部品収納ケースをパネルケースに挿入した場合には、光部品収納ケースは、収納が完了する位置にまで好適に案内され、収納完了位置に到達した場合に、光部品収納ケースに設けられた雄部が、パネルケースに設けられた雌部と嵌め合わされていた。このようにして、この種の光配線ユニットは、光部品収納ケースが、パネルケースに、確実に収納されるものとなっていた。
【０００３】
なお、上述した光部品収納ケースに接続される光ファイバコードは、押圧されたり触れられたりしてしまうことによって曲げられてしまうと、伝送されている光信号に、損失を生じさせてしまう特質を有する。このように、伝送される光信号に損失が生じてしまうと、光通信において具合の悪いものとなる。
【特許文献１】特開２００４−３６１８１０号公報
【発明の開示】
【発明が解決しようとする課題】
【０００４】
一方、この種の光配線ユニットにおいて、光部品収納ケースをパネルケースから取り外す場合には、まず、上述した光部品収納ケースに設けられた雄部と、パネルケースに設けられた雌部との係合を解除し、その後に、光部品収納ケースをパネルケースから抜き出して取り外すものとしていた。ここで、上述した光配線ユニットにあっては、一般に、パネルケースに設けられた雌部と係合する雄部が、光ファイバコードが接続される箇所の両側に配置されたものとなっている。
【０００５】
ところで、上述の光配線ユニットにあっては、その係合されている雄部及び雌部の箇所が、光ファイバコードを挟んだ上下に設けられたものとなっている。したがって、光部品収納ケースに設けられた雄部とパネルケースに設けられた雌部とを係合させたり、また、その係合を解除したりする場合には、接続されている光ファイバコードに触れてしまう場合がある。このように光ファイバコードに触れてしまうと、上述したように、伝送される光信号に損失が生じてしまう。また、この光部品収納ケースをパネルケースから外す場合にあっては、この光部品収納ケースを両手で支持しながらで外すことが一般的であり、作業における煩雑さが指摘されていた。
【０００６】
本発明は、このような事情に鑑みなされたものであって、その目的は、外装体とされるパネルケースから光部品収納ケースを収納する場合や取り外す場合の挿抜作業において、片手のみで１アクションで光部品収納ケースを収納したり取り外したりすることができ、さらに、この挿抜作業の際に、光部品収納ケースに接続された光ファイバコードの伝送される光信号の損失が生じ難い光配線ユニットを提供することにある。
【課題を解決するための手段】
【０００７】
上述した課題を解決するために、本発明は、以下の手段の光配線ユニットを提供する。
すなわち、請求項１に係る発明は、挿入方向基端面に光コネクタが接続される第１の接続部を有する光部品収納ケースと、前記光部品収納ケースを挿入する挿入開口部を有し前記光部品収納ケースを収納するパネルケースとを備えた光配線ユニットであって、前記光部品収納ケースは、光コネクタが接続される収納ケース本体と、挿入方向先端面の近傍であって前記収納ケース本体の底壁部から下方に突出して設けられた係止突出部と、前記挿入方向基端面の近傍であって前記収納ケース本体の上壁部から上方に突出して設けられるラッチ部と、前記ラッチ部の係合を解除可能に前記ラッチ部と一体に設けられ前記挿入方向基端面から挿入方向とは反対方向に突出して設けられる取手部とを有し、前記パネルケースは、下側の内壁部に前記係止突出部を嵌め込み可能に設けられた第１の凹部と、前記係止突出部が前記第１の凹部に嵌め込まれた場合に前記ラッチ部が嵌め込み可能となるように上側の内壁部に設けられた第２の凹部とを有することを特徴とする。
【０００８】
請求項２に係る発明は、請求項１に記載の光配線ユニットにおいて、前記挿入方向先端面の近傍の前記上壁部と、該上壁部と対向する位置の前記パネルケースの前記上側の内壁部とが、前記係止突出部の突出量に合わされた間隔で離間して構成されていることを特徴とする。
【０００９】
請求項３に係る発明は、請求項１または請求項２に記載の光配線ユニットにおいて、前記係止突出部の挿入方向先端側の隅部が曲面状に面取りされており、前記係止突出部の挿入方向基端側の隅部が、該挿入方向基端側に向かった突起状に形成されていることを特徴とする。
【００１０】
請求項４に係る発明は、請求項１から請求項３のうち何れか一項に記載の光配線ユニットにおいて、前記取手部の端部が、逆鉤状に形成されていることを特徴とする。
【００１１】
請求項５に係る発明は、請求項１から請求項４のうち何れか一項に記載の光配線ユニットにおいて、前記光部品収納ケースの挿入方向先端面に、光コネクタが接続される第２の接続部が設けられていることを特徴とする。
【００１２】
請求項６に係る発明は、請求項１から請求項５のうち何れか一項に記載の光配線ユニットにおいて、前記接続部が、単心の光コネクタを複数接続可能に構成されていることを特徴とする。
【００１３】
請求項７に係る発明は、請求項１から請求項６のうち何れか一項に記載の光配線ユニットにおいて、前記接続部が、多心の光コネクタを接続可能に構成されていることを特徴とする。
【発明の効果】
【００１４】
本発明に係る光配線ユニットによれば、外装体とされるパネルケースから光部品収納ケースを収納する場合や取り外す場合の挿抜作業において、片手のみで１アクションで光部品収納ケースを収納したり取り外したりすることができ、さらに、この挿抜作業の際に、光部品収納ケースに接続された光ファイバコードの伝送される光信号の損失が生じ難いものとなる。
【発明を実施するための最良の形態】
【００１５】
以下、本発明に係る光配線ユニットの最良の実施形態について、図面を参照しながら説明する。また、図１は光部品収納ケースがパネルケースに収納されている光配線ユニットの一部断面（図２のＡ−Ａ矢視断面）図、図２は図１の挿入方向基端面を示す（図１のＢ−Ｂ矢視断面）図、図３は光コネクタが接続される光部品収納ケースの側面図、図４は図３の光部品収納ケースを収納するパネルケースの（図２のＡ−Ａ矢視断面）断面図、図５は係止突出部の拡大側面図、図６はラッチ部及び取手部を示す拡大斜視図、図７は図６のラッチ部及び取手部を示す拡大側面図である。
【００１６】
図１における符号１は、本発明に係る光配線ユニットを示している。光配線ユニット１は、図４に示す外装体に相当するパネルケース５０の挿入開口部５１から、図３に示す光部品収納ケース１０を挿入して、該パネルケース５０の内部に収納されるように構成されている。この図示されている光部品収納ケース１０は、適宜の光部品を接続可能にされたものであって、この図示される光部品収納ケース１０は、ＭＴコネクタとＭＵコネクタを接続可能にされたものとなっている。すなわち、この図示される光部品収納ケース１０は、多心の光ファイバを備えたＭＴコネクタを接続し、このＭＴコネクタからのそれぞれの光ファイバを、単心で構成されたＭＵコネクタに分岐して接続する光分岐ユニットとなっている。
【００１７】
つまり、光部品収納ケース１０は、図２及び図３に示すように、挿入方向Ｄ１に対する基端面（以下、挿入方向基端面）１１に、光コネクタが接続可能にされた第１の接続部１３が設けられている。この第１の接続部１３は、２種類のアダプタが設けられることによって構成されるものである。図示される２種類のアダプタは、本願発明における一例であり、一方が、単心で構成されたＭＵコネクタが接続可能にされたＭＵコネクタ接続用アダプタ１３ａとなっており、そのＭＵコネクタ接続用アダプタ１３ａの下方に位置された他方が、多心で構成されたＭＴコネクタが接続可能にされたＭＴコネクタ接続用アダプタ１３ｂとなっている。さらに、この例のＭＵコネクタ接続用アダプタ１３ａにあっては、１６個縦並びでＭＵコネクタを接続可能に構成されており、また、ＭＵコネクタ接続用アダプタ１３ａにあっては、２個縦並びでＭＴコネクタを接続可能に構成されている。なお、図示しないが、この光部品収納ケース１０の内部は、ＭＴコネクタからの光信号がそれぞれのＭＵコネクタに分岐されるように、２連ＭＴコネクタ接続用アダプタと、１６連ＭＵコネクタ接続用アダプタとが、図示されない光ファイバで接続されたものとなっている。
【００１８】
また、この光部品収納ケース１０にあっては、図３に示すように、この挿入方向基端面１１とは反対側の面とされる、挿入方向Ｄ１に対する先端面（以下、挿入方向先端面）１２にも、光コネクタが接続可能にされた第２の接続部１４が設けられている。この第２の接続部１４にあっても、この第１の接続部１３と同様に、単心で構成されたＭＵコネクタを１６個縦並びで接続可能にされた１６連ＭＵコネクタ接続用アダプタ１４ａと、その１６連ＭＵコネクタ接続用アダプタ１４ａの下方に位置された、多心で構成されたＭＴコネクタが２個縦並びで接続可能にされた２連ＭＴコネクタ接続用アダプタ１４ｂとから構成されたものとなっている。なお、以下においては、挿入方向Ｄ１とは反対側の方向を、挿入反対方向と称し、符号Ｄ２で示す。
【００１９】
光部品収納ケース１０は、図３に示すように、収納ケース本体１０ａと、この収納ケース本体１０ａの挿入方向先端面１２の近傍であって底壁部１５から下方に突出して設けられた係止突出部２０と、この収納ケース本体１０ａの挿入方向基端面１１の近傍であって収納ケース本体１０ａの上壁部１６から上方に突出して設けられるラッチ部３０とから大略構成されている。収納ケース本体１０ａは、図示するように、パネルケース５０に挿入する方向となる、挿入方向基端面１１を形成する基端側壁部１７と、挿入方向先端面１２を形成する先端側壁部１８とが、対向位置に配置されると共に、底面を形成する底壁部１５と、上面を形成する上壁部１６と、これら壁部の端部を覆うように互いに対向して設けられる一対の側壁部１９（１９ａ，１９ｂ）とから、厚みの薄い直方体形状を構成している。
【００２０】
係止突出部２０は、図３に示すように、この収納ケース本体１０ａの底壁部１５のうち、挿入方向先端面１２の近傍箇所に、下方に突出して設けられている。この係止突出部２０は、図５の拡大図に示すように、挿入方向Ｄ１の隅部２１は曲面状に面取りされていると共に、挿入反対方向Ｄ２の隅部２２は該挿入反対方向Ｄ２に向かって突出した突起状に形成されている。なお、この係止突出部２０は、後に説明するパネルケース５０に設けられた第１の凹部５２（図４参照）に嵌め込まれる箇所となっている。
【００２１】
ラッチ部３０は、図３に示すように、前記収納ケース本体１０ａの上壁部１６に設けられている。具体的には、前記収納ケース本体１０ａの上壁部１６のうち、先端部から中間部にかけて、上方に突出する支持部３１が設けられており、この支持部３１から、挿入反対方向Ｄ２に向かって延びるようにラッチ部３０が設けられている。具体的には、図６及び図７に示すように、ラッチ部３０は、前記支持部３１と一体にされ且つ挿入反対方向Ｄ２に向かって延びる弾性板部３２と、この弾性板部３２の基端側において、上方に突出して設けられるラッチ突出部３３とから構成れている。この弾性板部３２は、樹脂で形成されたものであり、前記支持部３１に支持されながら、挿入反対方向Ｄ２に向かって前記収納ケース本体１０ａの上壁部１６から適宜に離間されて設けられている。また、弾性板部３２は、挿入反対方向Ｄ２に向かうにしたがって僅かに上方に傾斜するように形成されている。これによって、この弾性板部３２は前記支持部３１を支点として上方向Ｅ１若しくは下方向Ｅ２に好ましく揺れ動くことができ、ラッチ機能を発揮できるものとなっている。
【００２２】
ラッチ突出部３３には、上面が挿入方向Ｄに向かうにしたがって下方に傾斜された突出部傾斜面３４と、その突出部傾斜面３４の基端から略鉛直方向に延びてなる突出部垂直面３５とを有する。このラッチ突出部３３が、後に説明するパネルケース５０に設けられた第２の凹部５３（図４参照）に嵌め込まれる箇所となっている。なお、ラッチ突出部３３が、第２の凹部５３に嵌め込まれる場合には、光部品収納ケース１０の挿入方向Ｄ１の移動に伴って、突出部傾斜面３４が、パネルケース５０内の壁面に摺動しながら案内されて下方Ｅ２に移動し、ラッチ突出部３３が第２の凹部５３に嵌め込まれるものとなっている。このようにラッチ突出部３３が第２の凹部５３に嵌め込まれた場合には、突出部垂直面３５が第２の凹部５３の内面に当接することとなって、光部品収納ケース１０が、挿入反対方向Ｄ２に移動することを規制する。
【００２３】
また、このラッチ部３０には、上方への移動を規制するための機構が設けられている。すなわち、図６及び図７に示すように、前記収納ケース本体１０ａにおける端部から、挿入反対方向Ｄ２に向かって突出する本体側規制突出部３６が設けられている。また、前記ラッチ突出部３３が設けられた面とは反対の裏面側には、前記本体側規制突出部３６の下方に位置された、断面が円弧状に形成される、挿入方向Ｄ１に向かって突出するラッチ部側規制突出部３７が設けられている。これらの規制突出部３６，３７が設けられることによって、このラッチ部３３が上方に所定以上移動した場合、ラッチ部側規制突出部３７が、本体側規制突出部３６に当接し、所定以上に移動しないように規制する。
【００２４】
また、このラッチ部３０には、挿入反対方向Ｄ２に向かって延びる、取手部４０が設けられている。この取手部４０は、作業者が、手で掴む箇所となっており、具体的には、挿入反対方向Ｄ２から、やや下方に傾斜するように延びて、前記ラッチ部３０と一体に設けられている。この取手部４０は、端部にいくにしたがって外径が小さくなるように形成されたグリップ部４１と、さらに端部においては外径が大きくなる逆鉤状（返し状）に形成されたグリップエンド４２とから構成されている。言い換えれば、取手部４０は、図６及び図７に示すように、横から見てＪの字状に形成されている。なお、この取手部４０における端部の逆鉤状は、この図示の例に限定されることなく、横から見てＴの字状となる逆鉤状に形成されるものであってもよい。また、このラッチ部３０の挿入方向Ｄ１に隣接される上壁部１６は、挿入方向Ｄ１に向うにしたがって下方に傾斜された傾斜上面部３９を有している。
【００２５】
次に、このように構成された光部品収納ケース１０を収納するパネルケース５０につい図４を参照しながら説明する。パネルケース５０は、挿入方向Ｄ１の基端側から前記光部品収納ケース１０が収納されているパネルケース５０を見た図となる図２、及び、パネルケース５０の側断面図となる図４に示すように、前記光部品収納ケース１０を一方から挿入可能とする挿入開口部５１を有した筐体で構成されている。また、この挿入開口部と５１に対向する当接壁部５４には、光部品収納ケース１０の第２の接続部１４が露出されるように上下に２つの開口された窓部５５，５６が設けられている。これらの窓部５５，５６のうち、上に位置される第１の窓部５５からは、前記光部品収納ケース１０の１６連ＭＵコネクタ接続用アダプタ１４ａが露出可能となっており、ＭＵコネクタが接続可能となっている。また、第２の窓部５６からは、２連ＭＴコネクタ接続用アダプタ１４ｂが露出可能となっており、ＭＴコネクタが接続可能となっている。
【００２６】
また、図４等に示すように、このパネルケース５０の下側の内壁部５７のうち、挿入方向Ｄ１の隅には、上述した光部品収納ケース１０に設けられる係止突出部２０を嵌め込めることが可能な第１の凹部５２が設けられている。この第１の凹部５２は、前記係止突出部２０の突出量（突出長さ、突出断面積等）に合わされて、深さや範囲が設定されて設けられている。つまり、上述した隅部２１，２２の形状に合わされた形状で切り欠かれて形成されている。また、このパネルケース５０の上側の内壁部５８には、光部品収納ケース１０に設けられた係止突出部２０が前記第１の凹部５２に嵌め込まれた場合に、この光部品収納ケース１０に設けられるラッチ部３０が嵌め込み可能となる位置に、第２の凹部５３が設けられている。また、第２の凹部５３は、前記ラッチ突出部３３の突出量（突出長さ、突出断面積等）に合わされて、深さや範囲が設定されて設けられている。
【００２７】
さらに、パネルケース５０の上側の内壁部５８のうち、前記第１の凹部５３の挿入方向Ｄ１に隣接する位置には、挿入方向Ｄ１に向かうにしたがって上方に逃げるように形成された傾斜部５９が設けられている。さらに、この傾斜部５９と当接壁部５４との間は、水平方向に延びる水平部６０によって接続されている。このように傾斜部５９及び水平部６０が設けられることによって、光部品収納ケース１０の上壁部１６と、パネルケース５０の上側の内壁部５８との間には、適宜に離間されたクリアランスＣが形成されるものとなっている。このようにクリアランスＣが設けられることにより、後においても説明するが、光部品収納ケース１０をパネルケース５０に収納したり取り外したりするにあたり、この光部品収納ケース１０を斜めに傾けることができる。
【００２８】
なお、図２に示すように、このパネルケース５０には、光部品収納ケース１０を複数並べて収納することができるように、内方に突出する案内部６１が複数設けられたものとなっている。この案内部６１によって、前記光部品収納ケース１０は、厚さ方向に移動することなく好適に支持されて、安定的にパネルケース５０に収納される。また、このパネルケース５０の下側の内壁部５７及び上側の内壁部５８であって、挿入開口部５１の近傍に位置された箇所においては、開口端を拡大するように形成されている。この開口端の拡大は、光部品収納ケース１０をパネルケース５０に収納したり取り出したりするに際し、その光部品収納ケース１０を好ましく案内することに貢献するものである。
【００２９】
以上のように構成された光配線ユニット１が奏する作用を、次に図８及び図９を参照しながら説明する。なお、図８は光部品収納ケース１０をパネルケース５０に収納する場合を示す図、図９は光部品収納ケース１０をパネルケース５０から取り外す場合を示す図である。
光部品収納ケース１０をパネルケース５０に収納する場合にあっては、図８（ａ）に示すように、作業者は、光部品収納ケース１０の取手部４０を手に持って、この光部品収納ケース１０を挿入反対方向Ｄ２に向って上部を僅かに傾ける。そして、作業者は、その光部品収納ケース１０を傾けたままの状態で、パネルケース５０の挿入開口部５１から挿入していくと、図８（ｂ）に示すように、この光部品収納ケース１０の下方に設けられた係止突出部２０が、パネルケース５０の当接壁部５４の内面に当接する。このとき、作業者は、挿入した光部品収納ケース１０が視認する等して、係止突出部２０が、パネルケース５０の当接壁部５４の内面に当接したと確認できた場合には、上述した係止突出部２０を第１の凹部５２に嵌合させるように、それまで傾けていた光部品収納ケース１０の姿勢を正す。そうすると、図８（ｃ）に示すように、係止突出部２０は、第１の凹部５２に好適に嵌合する。
【００３０】
次いで、作業者は、上述したラッチ部３０のラッチ突出部３３を、第２の凹部５３に嵌め込むように取手部４０を持ち上げる。そうすると、ラッチ突出部３３は、第２の凹部５３に押し込まれることとなって、ラッチ突出部３３は、その第２の凹部５３と嵌合する。これによって、上述したように、このラッチ突出部３３における突出部垂直面３５が第２の凹部５３の内面に当接することにより、光部品収納ケース１０の挿入反対方向Ｄ２への移動が規制され、光部品収納ケース１０は、パネルケース５０に確実に係止された状態で収納される。この後に、上述した第２の接続部１４に、各種の光コネクタを接続する。
【００３１】
また、これとは逆に、光部品収納ケース１０をパネルケース５０から取り外す場合にあっては、まず、上述した第２の接続部１４に接続された各種の光コネクタの接続を解除する。そして、作業者は、光部品収納ケース１０の取手部４０を手に持って取手部４０を引き下げると、図９（ａ）に示すように、それまで第２の凹部５３に嵌合していたラッチ突出部３３が第２凹部５３から外される。そしてさらに、取手部４０を引き下げると、図９（ｂ）に示すように、この光部品収納ケース１０は、挿入反対方向Ｄ２に向って上部が僅かに傾けられる。つまり、光部品収納ケース１０の上壁部１６は、前記クリアランスＣを埋めるように、上側の内壁部５８に接近する。そうすると、第１の凹部５２に嵌合されていた係止突出部２０は、その第１の凹部５２から外される。次いで、その傾けられた状態のままで、光部品収納ケース１０をパネルケース５０から挿入反対方向（引き抜く方向）Ｄ２に取手部４０を引くと、図９（ｃ）に示すように、光部品収納ケース１０は、パネルケース５０から取り外される。
【００３２】
このようにして、上述したように構成された光配線ユニット１によれば、光部品収納ケース１０をパネルケース５０に収納したり、光部品収納ケース１０をパネルケース５０から取り外したりするに際して、接続部１３，１４に接続された光コネクタ及び、この光コネクタに接続される光ファイバコードに触れることなくなる。つまり、光コネクタが第１の接続部１３に接続されている場合であっても、作業する取手部４０が、光コネクタに接続される光ファイバコードより上方に位置するものとなるので、収納や取り外し作業中において、光コネクタや光ファイバコードに触れることがない。従って、伝送されている光信号の損失は生じず、好ましく光信号が伝送された状態が維持される。
【００３３】
また、作業者が手に持つ取手部４０は、上述したようなグリップ部４１とグリップエンド４２とから構成されているので、この光部品収納ケース１０を斜めに傾けながら引き抜く場合に、グリップ部４１を握った手がグリップエンド４２に引っ掛かり易いものとなる。これによって、作業者は、光部品収納ケース１０を引き抜き場合に力が入れ易いものとなって、引き抜き易くなる。
【００３４】
また、この光配線ユニット１にあっては、光部品収納ケース１０をパネルケース５０に収納したり、光部品収納ケース１０をパネルケース５０から取り外したりする挿抜作業において、光部品収納ケース１０を斜めに傾けて行うので、光部品収納ケース１０がパネルケース５０に接触する面積は小さなものとなる。これによって、光部品収納ケース１０をパネルケース５０内において移動させる場合に、発生する摩擦力を軽減させることができて、スムーズに移動させることができる。
【００３５】
また、上述した係止突出部２０にあっては、挿入方向Ｄ１の隅部２１は曲面状に面取りされているので、光部品収納ケース１０をパネルケース５０から取り外そうと、光部品収納ケース１０を傾けた場合に、隅部２１によって滑らかに第１の凹部５２から係止突出部２０を抜き出すことができる。また、この係止突出部２０にあっては、挿入反対方向Ｄ２の隅部２２は該挿入反対方向Ｄ２に向かって突出した突起状に形成されているので、この第１の凹部５２に嵌め込まれている場合には、上方への移動を規制することとなって、光部品収納ケース１０を安定的に収納する。
【００３６】
さらに、光コネクタを介して第１の接続部１３に接続される光ファイバコードは、通常、接続された位置から、重力によって下に垂れ下がったものとなっている。ここで、光部品収納ケース１０のパネルケース５０への挿抜作業においては、第１の接続部を僅かに下方に向けるように斜めに傾けて行う。これによって、この第１の接続部に接続された光ファイバコードは、この挿抜作業において無理に曲げられることがなくなり、上述した光信号の伝送における損失が生じ難いものとなる。
【００３７】
なお、本発明に係る光配線ユニットは、上述したような実施の形態に限定されるものではなく、本発明の趣旨を逸脱しない範囲において適宜に選択して構成することができる。例えば、上述の実施の形態においては、上方へ移動を規制するために設けられた規制突出部３６，３７が、収納ケース本体１０ａにおける端部から、挿入方向Ｄ２に向かって突出するように設けられた本体側規制突出部３６と、ラッチ突出部３３が設けられた面とは反対の裏面側であって本体側規制突出部３６の下方に位置された、挿入方向Ｄ１に向かって突出するように設けられたラッチ部側規制突出部３７とによって、上方への移動を規制していたが、このような形態に限定されることなく、適宜に設けられたストッパで代替されるものであってもよい。また、このようなラッチ部３０の上方への移動を規制する機構を設けなくても、何ら問題のないものとされる。
【００３８】
また、上述の実施の形態における光部品収納ケース１０にあっては、多心で構成されたＭＴコネクタを、単心で構成されたＭＵコネクタに分岐する光分岐ユニットを例示し、これについて説明した。しかしながら、本発明における光部品収納ケースは、この例示された光分岐ユニットに限定されることなく、適宜の光部品を接続するケース状に構成される全てのものを採用することができる。例えば、光分岐ユニットとしては、多心で構成されたＭＴコネクタ同士を接続するように構成されるものであったり、単心で構成されたＭＵコネクタ同士を接続するように構成されるものであったりしてもよい。また、光部品収納ケース自体が、光カプラや、光スプリッタや、光フィルタ等として構成されるものであってもよいし、これらの光カプラや、光スプリッタや、光フィルタ等が接続される接続ボックスとして構成されるものであってもよい。
【００３９】
また、上述の実施の形態における光配線ユニット１にあっては、光部品収納ケース１０がパネルケース（光配線ラック）５０に複数並べて収納できるように、案内部６１が適宜数設けられて構成される光配線架として説明した。しかしながら、本発明におけるパネルケースは、この例に限定されることなく、光部品収納ケースを１つしか収納することができないパネルケースを用いて、光配線ユニットが構成されるものであってもよい。
【図面の簡単な説明】
【００４０】
【図１】光部品収納ケースがパネルケースに収納されている本発明の光配線ユニットの側面図である。
【図２】図１の挿入方向基端面を示す図である。
【図３】光コネクタが接続される光部品収納ケースの側面図である。
【図４】図３の光部品収納ケースを収納するパネルケースの側面図である。
【図５】係止突出部の拡大側面図である。
【図６】ラッチ部及び取手部を示す拡大斜視図である。
【図７】図６のラッチ部及び取手部を示す拡大側面図である。
【図８】光部品収納ケースをパネルケースに収納する場合を示す図である。
【図９】光部品収納ケースをパネルケースから取り外す場合を示す図である。
【符号の説明】
【００４１】
１…光配線ユニット、１０…光部品収納ケース、１０ａ…収納ケース本体、１１…挿入方向基端面、１２…挿入方向先端面、１３…第１の接続部、１４…第２の接続部、１５…収納ケース本体の底壁部、１６…収納ケース本体の上壁部、２０…係止突出部、２１…挿入方向先端側の隅部、２２…挿入方向基端側の隅部、３０…ラッチ部、４０…取手部、５０…パネルケース、５２…第１の凹部、５３…第２の凹部、５７…下側の内壁部、５８…上側の内壁部、Ｄ１…挿入方向、Ｄ２…挿入方向とは反対方向（挿入反対方向）
【図１】
2007094277.tif 000003
【図２】
2007094277.tif 000004
【図３】
2007094277.tif 000005
【図４】
2007094277.tif 000006
【図５】
2007094277.tif 000007
【図６】
2007094277.tif 000008
【図７】
2007094277.tif 000009
【図８】
2007094277.tif 000010
【図９】
2007094277.tif 000011